(57)【要約】【課題】監視に必要とする情報を効率良く、かつ容易に得ることを可能とするデータ表示装置を提供すること。【解決手段】監視対象から必要とする複数のデータを入力する入力手段（１）と、この入力手段（１）で入力された複数のデータに係る処理を行なう計算手段（２）と、この計算手段（２）で処理された複数のデータを各々透過度を変えて表示する表示手段（５）と、を具備。【選択図】      図１
2007164800.tif 000002
【特許請求の範囲】
【請求項１】
監視対象から必要とする複数のデータを入力する入力手段と、
この入力手段で入力された複数のデータに係る処理を行なう計算手段と、
この計算手段で処理された複数のデータを二次元マップ状に表示する表示手段と、
を具備したことを特徴とするデータ表示装置。
【請求項２】
前記表示手段は、前記計算手段で処理された複数のデータを二次元マップ状に履歴表示することを特徴とする請求項１に記載のデータ表示装置。
【請求項３】
監視対象から必要とする複数のデータを入力する入力手段と、
この入力手段で入力された複数のデータに係る処理を行なう計算手段と、
この計算手段で処理された複数のデータを単一の統合された情報として表示する表示手段と、
を具備したことを特徴とするデータ表示装置。
【請求項４】
前記表示手段は、所定の操作により前記情報を構成要素単位に展開して表示することを特徴とする請求項３に記載のデータ表示装置。
【請求項５】
前記表示手段で表示された情報に対して時系列の瞬時値を読み取る読み取り手段を備えたことを特徴とする請求項３に記載のデータ表示装置。
【請求項６】
前記表示手段は、透過性を有するスケールを前記情報に重ね合わせて表示することを特徴とする請求項３に記載のデータ表示装置。
【請求項７】
前記スケールは、任意に時系列移動が可能であることを特徴とする請求項６に記載のデータ表示装置。
【請求項８】
監視対象から必要とするデータを入力する入力手段と、
この入力手段で入力されたデータに係る処理を行なう計算手段と、
この計算手段で処理されたデータを立体的に表示する表示手段と、
を具備したことを特徴とするデータ表示装置。
【請求項９】
前記表示手段で表示されたデータにおける読み取りを要する箇所を指定する指定手段を備え、
前記表示手段は、前記指定手段で指定された箇所を読み取り可能に表示することを特徴とする請求項８に記載のデータ表示装置。
【発明の詳細な説明】
【技術分野】
【０００１】
本発明は、発電所や一般産業のプラント状態を監視記録し、プロセス値の有効活用を目的とした記録計を必要とするシステム、ハード記録計からの代替を必要とし、計算機による記録監視を実現できることから複数台のハード記録計を１台の計算機で模擬して代替することが可能なように省スペース化を促進したシステム、及び訓練システム等の省資源化、高応答性が必要なシステム、等に利用可能なデータ表示装置に関する。
【背景技術】
【０００２】
従来のプラントプロセス値の監視表示を行なうシステムにおいては、そのほとんどが物理的な記録計（プロッタ、レコーダ等）を忠実に模擬するために、計算機内に一時的に保存されたデータを一定周期で取り出し、記録計と同様な曲線のみのグラフ表示を表現している。また履歴管理は、ロール紙の代わりに計算機内のメモリにデータを蓄え、必要な部分を再現するといった手法にて実現しているが、あくまでも物理機器の置き換えを目的としている。
【０００３】
この様に従来では、プロセス値の記録監視における計算機での表現方法は、物理機器を忠実に再現することに注力されているが、ユーザーの負担は軽減されていない。また、ユーザーに求められている表示形態で的確に表現されているものではない。
【発明の開示】
【発明が解決しようとする課題】
【０００４】
本発明の目的は、監視に必要とする情報を効率良く、かつ容易に得ることを可能とするデータ表示装置を提供することにある。
【課題を解決するための手段】
【０００５】
上記課題を解決し目的を達成するために、本発明のデータ表示装置は以下の如く構成されている。
【０００６】
（１）本発明のデータ表示装置は、監視対象から必要とする複数のデータを入力する入力手段と、この入力手段で入力された複数のデータに係る処理を行なう計算手段と、この計算手段で処理された複数のデータを二次元マップ状に表示する表示手段と、から構成されている。
【０００７】
（２）本発明のデータ表示装置は上記（１）に記載の装置であり、かつ前記表示手段は、前記計算手段で処理された複数のデータを二次元マップ状に履歴表示する。
【０００８】
（３）本発明のデータ表示装置は、監視対象から必要とする複数のデータを入力する入力手段と、この入力手段で入力された複数のデータに係る処理を行なう計算手段と、この計算手段で処理された複数のデータを単一の統合された情報として表示する表示手段と、から構成されている。
【０００９】
（４）本発明のデータ表示装置は上記（３）に記載の装置であり、かつ前記表示手段は、所定の操作により前記情報を構成要素単位に展開して表示する。
【００１０】
（５）本発明のデータ表示装置は上記（３）に記載の装置であり、かつ前記表示手段で表示された情報に対して時系列の瞬時値を読み取る読み取り手段を備えている。
【００１１】
（６）本発明のデータ表示装置は上記（３）に記載の装置であり、かつ前記表示手段は、透過性を有するスケールを前記情報に重ね合わせて表示する。
【００１２】
（７）本発明のデータ表示装置は上記（６）に記載の装置であり、かつ前記スケールは、任意に時系列移動が可能である。
【００１３】
（８）本発明のデータ表示装置は、監視対象から必要とするデータを入力する入力手段と、この入力手段で入力されたデータに係る処理を行なう計算手段と、この計算手段で処理されたデータを立体的に表示する表示手段と、から構成されている。
【００１４】
（９）本発明のデータ表示装置は上記（８）に記載の装置であり、かつ前記表示手段で表示されたデータにおける読み取りを要する箇所を指定する指定手段を備え、前記表示手段は、前記指定手段で指定された箇所を読み取り可能に表示する。
【００１５】
上記手段を講じた結果、それぞれ以下のような作用を奏する。
【００１６】
（１）本発明のデータ表示装置によれば、複数個の同一データを値に応じた色等の判別方法を伴った二次元マップ状に表示することで、表示されているプロセス値、色等のリアルタイム変更が可能となる。これにより、複数個の同一種類のデータの現状と特異的な状態にあるデータの判断を容易に行なうことが可能になる。
【００１７】
（２）本発明のデータ表示装置によれば、複数個の同一データを値に応じた色等の判別方法を伴った二次元マップ状に表示するとともに、データの過去の状態を現在値とは異なった状態で表示することにより、現状データのマップによる確認だけでなく、データの過去の状態についても判断することが可能となる。
【００１８】
（３）本発明のデータ表示装置によれば、複雑化する表示を統合することにより、直感的に複数のポイント情報を監視し表現することが可能になる。
【００１９】
（４）本発明のデータ表示装置によれば、複数の情報について必要なときに簡潔にまとめられた統合表示をし、また詳細情報を必要とするときに展開表示をすることで、ユーザーニーズに柔軟に対応し表現することが可能になる。
【００２０】
（５）本発明のデータ表示装置によれば、任意の時系列での瞬時値を統計情報として読み取ることが可能になる。
【００２１】
（６）本発明のデータ表示装置によれば、本来必要とする情報表示の情報領域を損なうことなく有効にスケール表示することが可能になる。
【００２２】
（７）本発明のデータ表示装置によれば、本来必要とする情報表示の情報領域を損なうことなく、スケールを任意に時系列移動することを可能とすることにより、必要な情報を直感的かつ、有効にスケール表示することが可能になる。
【００２３】
（８）本発明のデータ表示装置によれば、グラフを三次元空間上にて表示していくことにより、長期傾向等の長いデータに対しても数値の精度を落すことなく、かつ具体的に表現することが可能となる。そして、三次元空間上の座標軸、時間、データのレンジスパン等を任意に変更することを可能とすることにより、よりユーザーの要求に合わせた表現ができることから、視認性の向上、監視品質向上、ひいてはユーザーの負荷軽減にもつながる。
【００２４】
（９）本発明のデータ表示装置によれば、指定された箇所を読み取り可能に表示するため、ユーザーは立体的に表示された要求に合うデータを容易に読みとることができる。
【発明の効果】
【００２５】
本発明によれば、データの汎用性、加工性、及び流用性を生かし、物理機器には表現できないプロセス値の本来の情報提示方法を実現することにより、ユーザーが行なうべく記録監視の負荷を軽減するとともに、監視の品質、効率を向上することができる。また、記録監視に伴うプロセス値データの収集検索においても、予め条件を設定することにより、より効率良く、また確実に情報の記録、監視を行なえる。
【００２６】
また、本発明を各種プラント等におけるプロセス値の履歴及びリアルタイムの状態の記録、表示を行なうシステムに用い、プロセス値の持つ情報、特性に応じて立体表示（３Ｄ表示）またはＭＡＰ表示等により従来の線のみによるグラフ表示の表現と異なるようビジュアル化することにより、ユーザーはプロセス値の持つ情報及び傾向等を直感的かつ瞬時に判断することが可能になる。さらに、プラントの各種イベントに対応したプロセス値の情報収集、記録を行なうことにより、ユーザーは、目的や用途に合った情報を効率良く、かつ容易に得ることができる。
【００２７】
このように本発明によれば、あらゆるプロセス値の最適な情報を提示するための表現手段への対応が可能となり、かつユーザーは、情報の持つ意味を直感的かつ的確に把握することができるため、記録監視に関する負荷を軽減することが可能となる。さらに、プラントのイベントに対応した情報収集をも可能になることから、データ解析を効率よく行なうことができる。
【発明を実施するための最良の形態】
【００２８】
（第１の実施の形態）
図１は、本発明の第１の実施の形態に係るデータ表示装置の基本構成を示すブロック図である。本データ表示装置は透過表示を行なうものであり、図１に示すように、計算機２には入力部１、記録部４、データ表示部５、及び対話入力部６が接続されている。入力部１にて周期的に入力されたプロセスデータは、計算機２にて一時的にデータを保存する一時保管領域３に格納される。
【００２９】
図２は、記録部４内に格納されている履歴表示用時系列データテーブルを示す図である。計算機２の一時保管領域３に格納されたデータは、記録部４の上記履歴表示用時系列データテーブルに記録されるとともに、リアルタイム表示用にデータ表示部５へ渡される。
【００３０】
図３は、データ表示部５における透過度指定対話画面を示す図である。データ表示部５では、図３に示すように、on-line選択時には計算機２からリアルタイム表示用のデータを受け取り、off-line選択時には図２に示した履歴表示用時系列データテーブルから、時間要素及びプロセス値要素を有する表示用プロセスデータを受け取る。
【００３１】
そしてデータ表示部５では、図３に示すように、現在指定されている複数のプロセス値の監視曲線を同一座標上にリアルタイムで表示することを可能にし、もしくは指定されたプロセスデータ（時間指定等も含む）を表示することを可能とする。
【００３２】
それとともに、操作者により任意に指定された監視曲線、または操作者が表示されたリバースボタン（選択曲線の反転用）を押すことにより指定された前記監視曲線以外の監視曲線に対して、図３に示す透過度指定対話画面等による対話入力部６から、透過度を１００％原色から０％透明までリニアに指定することにより、その指定された透過度に対応した各監視曲線を透過表現することを可能とする。
【００３３】
図４乃至図８は、透過度に対応する各監視曲線の表示の変遷を示す図であり、データ表示部５のディスプレイ上に表示した中間調画像を写真印刷して示す図である。図４乃至図８では、それぞれ透過度（不透明度）が１００％、８０％、６０％、４０％、２０％であり、各監視曲線が透過度に対応して透過表現されていることがわかる。
【００３４】
また、監視曲線に使用する表示画素数を複数使用すること、及び曲線が複数の場合には、他の曲線の表示輝度が同程度となる色などを使用することにより、透過表示の効果が増大する。
【００３５】
（第２の実施の形態）
図９は、本発明の第２の実施の形態に係るデータ表示装置の基本構成を示すブロック図である。図９において図１と同一な部分には同符号を付してある。本データ表示装置は透過履歴表示を行なうものであり、図９に示すように、計算機２には入力部１、記録部４、データ表示部５、及び対話入力部６が接続されている。入力部１にて周期的に入力されたプロセスデータは、計算機２にて一時的にデータを保存する一時保管領域３に格納される。このデータは、記録部４の図２に示す履歴表示用時系列データテーブルに記録されるとともに、リアルタイム表示用にデータ表示部５へ渡される。
【００３６】
図１０は、データ表示部５における透過度指定対話画面を示す図である。データ表示部５では、図１０に示すように、他プラントまたは過去の類似プラント状態の記録された記録部４内の記録データ７を基に、on-line選択時には計算機２からリアルタイム表示用のデータを受け取り、off-line選択時には図２に示した履歴表示用時系列データテーブルから、時間要素及びプロセス値要素を有する表示用プロセスデータを受け取る。
【００３７】
そしてデータ表示部５では、図１０に示すように、現在指定されている複数のプロセス値の監視曲線と比較対象とする記録データを、イベント、プラント状態情報単位もしくは基準時間（相対時間）等を基に同一座標上にリアルタイムで表示すること、もしくは指定されたプロセスデータ（時間指定等も含む）を表示することを可能とする。
【００３８】
それとともに、操作者により任意に指定された比較対象監視曲線、または操作者が表示されたリバースボタン（選択曲線の反転用）を押すことにより指定された前記比較対象監視曲線以外の監視曲線に対して、図１０に示す透過度指定対話画面等による対話入力部６から、透過度を１００％原色から０％透明までリニアに指定することにより、その指定された透過度に対応した監視曲線及び比較対象監視曲線を透過比較表現することを可能とする。
【００３９】
また、監視曲線に使用する表示画素数を複数使用すること、及び曲線が複数の場合には、他の曲線の表示輝度が同程度となる色などを使用することにより、透過表示の効果が増大する。
【００４０】
（第３の実施の形態）
本発明の第３の実施の形態に係るデータ表示装置の基本構成は、図１に示したものと同一である。本データ表示装置は２Ｄ表示（二次元表示）を行なうものであり、図１において、入力部１にて周期的に入力された複数個の同一種類プロセスデータは、計算機２にて一時保管領域３に一括して格納される。これらのデータは、記憶部４の図２に示す履歴表示用時系列データテーブルに記録されるとともに、リアルタイム表示用にデータ表示部５へ渡される。
【００４１】
図１１は、記録部４内に格納されているプロセス値制限値指定テーブルを示す図、図１２はプロセス値識別色指定テーブルを示す図、図１３はマップ情報指定テーブルを示す図、図１４の（ａ），（ｂ）はデータ表示部５における表示例を示す図である。
【００４２】
データ表示部５では、図１１に示すプロセス値制限値指定テーブル、図１２に示すプロセス値識別色指定テーブル、及び図１３に示すマップ情報指定テーブルから表示する二次元マップを作成し、プロセス値を測定しているセンサに該当するマップ上の位置に各プロセス値を表示し、マップ上の色をプロセス値に該当する表示色を用いて図１４の（ａ）に示すように表示する。このとき、プロセス値が上記プロセス値制限値テーブルで指定される制限値を越えていた場合、マップ上の色は警報色で表示される。
【００４３】
また、マップ上の任意のプロセス値を選択し、図１４の（ｂ）に示すように単独プロセス値のトレンド表示を行なうことにより、マップ全体のプロセス値の状態を確認しながら、注目点のトレンド状態を確認することを可能とする。たとえば、原子力発電所の原子炉の制御棒駆動水温度測定については、一つの原子炉に存在する百数十点の制御棒に一つずつ温度計が設けられ、百数十点の温度データを得る。このとき、制御棒駆動水温度の上下限値を基に警報表示、色別表示するための温度区分を図１１、図１２に示すように指定する。
【００４４】
図１３では、制御棒駆動水温度をマップ状に表現したときに、格子マップのどの位置に制御棒駆動水温度センサが存在するかを「０」，「１」で示している。「０」の場合、その格子にはセンサが存在せず、マップ表示においても数値、色は表示されない。「１」の場合、その格子には該当するセンサが存在し、数値、色が表示される。
【００４５】
図１３に示す７×７のマトリックスの内、３７本の制御棒が存在する場合、図１１で指定されたマップ情報を用いて制御棒マップが図１４の（ａ）に示すように表示される。このマップにおいて、制御棒駆動水温度の数値と識別色指定テーブルによる色が表示される。なお格子は、通常の識別色の場合、青や緑色系統の色で表示されるが、制御棒駆動水温度が警報領域に達した場合、赤色等の警報色で表示される。
【００４６】
さらに、表示部５に表示されているマップの格子を、操作者がマウスやタッチスクリーン、ライトペン等の選択手段で選択することにより、選択された制御棒駆動水温度の時系列変化が記憶部４から計算機２に入力され、図１４の（ｂ）に示すようにデータ表示部５に別画面として表示される。
【００４７】
（第４の実施の形態）
本発明の第４の実施の形態に係るデータ表示装置の基本構成は、図１に示したものと同一である。本データ表示装置は２Ｄ履歴表示（二次元履歴表示）を行なうものであり、図１において、入力部１にて周期的に入力されたプロセスデータは、計算機２にて一時的にデータを保存する一時保管領域３に格納される。このデータは、記録部４の図２に示す履歴表示用時系列データテーブルに記録されるとともに、リアルタイム表示用にデータ表示部５へ渡される。
【００４８】
図１５は、記録部４内に格納されているプロセス値状態テーブルを示す図である。本データ表示装置では、複数個の同一種類プロセスデータをデータ表示部５で表示するとき、プロセス値が制限値を越えている場合に、該当するプロセス値に対してプロセス値異常フラグを上記プロセス値状態テーブルに記憶する。
【００４９】
図１６は、データ表示部５における表示例を示す図である。図１６に示すように、プロセス値が制限値を越えている状態では、データ表示部５のマップ表示において異常なプロセス値は警報色で表示される。その後、プロセス値が正常値に戻った場合には、プロセス値の表示色は図１５に示したプロセス値状態テーブルに基づき、正常色でなく過去に異常値をとったことを示す過去警報色で表示される。また操作者は、表示画面上のリセット機能を要求することにより、過去のプロセス値異常フラグの設定を解除することができる。
【００５０】
本第４の実施の形態では、上記第３の実施の形態で示したマップ表示におけるマップ情報指定テーブルと同一形式のプロセス値状態テーブルを有し、全プロセス値が正常な場合は、プロセス値が存在する格子にプロセス値正常フラグ「１」が設定される。任意の制御棒駆動水温度が警報領域に達した場合、マップの格子が警報色になるとともに、対応するプロセス値状態テーブルの格子の値がプロセス値異常フラグ「２」となる。
【００５１】
ここで、警報状態の制御棒駆動水温度が正常値の範囲内に戻った場合、プロセス値状態テーブルの格子の値は、正常フラグ「１」に戻るのではなく、プロセス値正常復帰フラグ「３」となり、マップ表示においても正常色ではなく、過去警報色（たとえば黄色）で表示される。すなわち、現在は正常値であっても過去に異常となったことが、他の正常温度計と区別して判断できるように表示される。
【００５２】
ここで、操作者が表示部５の警報リセット機能をマウス等で要求することにより、プロセス値情報テーブルに設定されている正常復帰フラグ「３」は正常フラグ「１」に戻され、画面表示も正常色で表示される。
【００５３】
（第５の実施の形態）
本発明の第５の実施の形態に係るデータ表示装置の基本構成は、図１に示したものと同一である。本データ表示装置は記録条件設定を行なうものであり、図１において、入力部１にて周期的に入力されたプロセスデータは、計算機２にて一時的にデータを保存する一時保管領域３に格納される。
【００５４】
図１７は、データ表示部５における対話画面を示す図、図１８はデータ表示を示す図、図１９は記録部４内に格納されている条件テーブルを示す図、図２０は履歴表示用データテーブルを示す図である。本装置では、予めデータ表示部５に表示された図１７に示す対話画面を基に、操作者により対話入力部６から任意のＰＩＤの状態（ＰＩＤが定格の２０％以上、９５％以下の場合など）に応じて、他のＰＩＤデータ収集の開始や停止などの収集開始・停止条件が入力される。そして、上記条件テーブルに収集データ毎に記録しておくことにより、計算機２において入力されたＰＩＤが収集条件を満足するか否かが判定される。
【００５５】
この判定の結果、条件を満足していた場合、計算機２は一時保管領域３から上記条件テーブルに登録されたプロセスデータを読み出し、記録部４の上記履歴表示用データテーブルに時刻、値の各データを収集データ毎に時系列で記録するとともに、リアルタイム表示用にデータ表示部５へ渡す。また、条件ＰＩＤのプロセスデータについては、判定条件に係わらず、記録部４にて上記履歴表示用データテーブルに記録するとともに、リアルタイム表示用にデータ表示部５へ渡す。
【００５６】
データ表示部５では、計算機２からリアルタイム表示用のデータを受け取るか、もしくは上記履歴表示用データテーブルから時間要素及びプロセス値要素を有する表示用プロセスデータを受け取る。そして、図１８に示すように登録されたプロセスデータを表示し、併せて上記条件テーブルに設定された設定条件値と条件ＰＩＤのプロセスデータを表示することにより、登録されたプロセスデータにおける条件ＰＩＤに設定された範囲内の箇所だけを表示することが可能となる。
【００５７】
（第６の実施の形態）
本発明の第６の実施の形態に係るデータ表示装置の基本構成は、図１に示したものと同一である。本データ表示装置は記録データ検索表示を行なうものである。また図２１は、記録部４内に格納されている履歴表示用データテーブルを示す図である。
【００５８】
図１において、入力部１にて周期的に入力されたプロセスデータとプラントイベント情報、すなわち時刻、値、イベント情報（イベント発生時のみ記録）の各データは、対応付けて表示されるデータ毎に記録部４の上記履歴表示用データテーブルへ時系列で記録される。
【００５９】
図２２は、対話画面を示す図、図２３は検索条件テーブルを示す図、図２４はデータ表示を示す図である。対話入力部６では、データ表示部５に表示された図２２に示す対話画面を基に、操作者により表示させたいデータを検索するための検索条件（期間、併入、解列スクラムなどのプラントイベント）と表示期間（イベント前後に表示する時間）が入力され、記録部４の図２３に示す検索条件テーブルに記録される。
【００６０】
例えば、ある期間にスクラムが発生したデータを検索する場合、検索条件には期間とスクラムというイベントを設定する。計算機２では、図２１に示す履歴表示用データテーブル内の時刻データが検索条件にあっているか否か比較を行ない、対象となるデータを取り出す。次に、取り出したデータのイベント情報にスクラムイベントがあるか否か検索を行ない、条件が一致した場合は、そのデータと表示期間内のデータを記録部４の検索結果テーブル（上記履歴表示用データテーブルと同様な構成をなす）に記録し、データ表示部５へ渡す。
【００６１】
データ表示部５では、上記検索結果テーブルから時間要素及びプロセス値要素を有する表示用のプロセスデータを受け取って表示する。また上記検索結果テーブルにイベントの情報が記録されている場合は、そのイベント情報を読み取り、併せて表示する（検索結果のデータ表示を図２４に示す）。
【００６２】
また、データ表示部５では、検索期間内に同一のイベントが複数あった場合、図２４のデータ表示において、次のイベント部分へスキップできるボタンが表示される。操作者がそのボタンを押すことにより、データ表示部５は次のイベント部分のデータを上記検索結果テーブルから受け取り、データ表示が行なわれる。
【００６３】
（第７の実施の形態）
本発明の第７の実施の形態に係るデータ表示装置の基本構成は、図１に示したものと同一である。本データ表示装置は統合表示を行なうものである。図１において、入力部１にて周期的に入力されたプロセスデータは、計算機２にて一時的にデータを保存する一時保管領域３に格納される。このデータは、記録部４の図２に示す履歴表示用時系列データテーブルに記録されるとともに、リアルタイム表示用にデータ表示部５へ渡される。
【００６４】
図２５は、記録部４内に格納されている統合表示グループテーブルを示す図である。本データ表示装置では、図２５に示すように、統合表示するための構成要素であり記録要素であるポイントを、図２の履歴表示用時系列データテーブルに保存されたポイントの中から、対話入力部６により指定された統合表示グループとして登録する。
【００６５】
データ表示部５では、図２５の統合表示グループテーブルで指定されたポイント情報から、統合する構成情報について、図２の履歴表示用時系列データテーブルを基に時系列毎に最大値、最小値を求める。そして、その間の値をグラフの幅とし、グラフ表示に必要な全てのデータ、または図２の履歴表示用時系列データテーブルに保存された全てのデータを計算することにより、複数ポイントを単一の統合されたグラフとして表示することを可能にする。
【００６６】
（第８の実施の形態）
本発明の第８の実施の形態に係るデータ表示装置の基本構成は、図１に示したものと同一である。本データ表示装置は統合展開表示を行なうものである。図１において、入力部１にて周期的に入力されたプロセスデータは、計算機２にて一時的にデータを保存する一時保管領域３に格納される。このデータは、記録部４の図２に示す履歴表示用時系列データテーブルに記録されるとともに、リアルタイム表示用にデータ表示部５へ渡される。
【００６７】
本データ表示装置では、図２５に示したように、統合表示するための構成要素であり記録要素であるポイントを、図２の履歴表示用時系列データテーブルに保存されたポイントの中から、対話入力部６により指定された統合表示グループとして登録する。
【００６８】
図２６の（ａ），（ｂ）は、データ表示部５における統合表示を示す図である。データ表示部５では、図２５の統合表示グループテーブルで指定されたポイント情報から、統合する構成情報について、図２の履歴表示用時系列データテーブルを基に時系列毎に最大値、最小値を求める。そして、その間の値をグラフの幅とし、グラフ表示に必要な全てのデータ、または図２の履歴表示用時系列データテーブルに保存された全てのデータを計算することにより、複数ポイントが単一の統合されたグラフとして表示された図２６の（ａ）に示す統合表示上で、ポインティングデバイス等を用いたアクション（クリック）等による要求がなされる。これにより、統合された構成要素を分解し、個々の構成要素単位でグラフを図２６の（ｂ）に示すように再表示することを可能にする。また、分解されたグラフを、統合ボタン等での統合表示要求により統合表示へ切り替えることも可能にする。
【００６９】
（第９の実施の形態）
本発明の第９の実施の形態に係るデータ表示装置の基本構成は、図１に示したものと同一である。本データ表示装置は統合数値読取りを行なうものである。図１において、入力部１にて周期的に入力されたプロセスデータは、計算機２にて一時的にデータを保存する一時保管領域３に格納される。このデータは、記録部４の図２に示す履歴表示用時系列のデータテーブルに記録されるとともに、リアルタイム表示用にデータ表示部５へ渡される。
【００７０】
本データ表示装置では、図２５に示したように、統合表示するための構成要素であり記録要素であるポイントを、図２の履歴表示用時系列データテーブルに保存されたポイントの中から、対話入力部６により指定された統合表示グループとして登録する。
【００７１】
図２７は、データ表示部５における統合数値読み取り表示を示す図である。データ表示部５では、図２５の統合表示グループテーブルで指定されたポイント情報から、統合する構成情報について、図２の履歴表示用時系列データテーブルを基に時系列毎に最大値、最小値を求める。そして、その間の値をグラフの幅とし、グラフ表示に必要な全てのデータ、または図２の履歴表示用時系列データテーブルに保存された全てのデータを計算することにより、図２７に示すように複数ポイントが単一の統合されたグラフとして表示された統合情報表示１０に対して、時間軸を基準にＹ方向へ移動可能な基準線（数値読み取りバー）１１を表示する。
【００７２】
そして、この基準線１１と統合情報表示１０との接点を数値読み取り点とし、統合情報表示データの構成情報が持つその時点での瞬時値を図２に示す履歴表示用時系列データテーブルから抽出する。そして、構成情報の持つ値から、構成情報の中の最大の値、構成情報の中の最小の値、及び構成情報の総和を構成情報数で割った平均値を求め、数値読み取りバー１１と統合情報表示１０の接点の近傍に統合数値読み取り１２を表示する。また、数値読み取りバー１１は、表示グラフ上を時間軸に沿って任意に移動可能とする。
【００７３】
（第１０の実施の形態）
本発明の第１０の実施の形態に係るデータ表示装置の基本構成は、図１に示したものと同一である。本データ表示装置は透過スケール表示を行なうものである。図１において、入力部１にて周期的に入力されたプロセスデータは、計算機２にて一時的にデータを保存する一時保管領域３に格納される。このデータは、記録部４の図２に示す履歴表示用時系列のデータテーブルに記録されるとともに、リアルタイム表示用にデータ表示部５へ渡される。
【００７４】
図２８は、データ表示部５における透過スケール表示を示す図である。データ表示部５では、図２の履歴表示用時系列データテーブルに保存されたポイントの中からグラフ表示されるグラフ等に対して、そのポイントに関するグラフ上の上下限値、及びその上下限値に応じて均等に分割された目盛り等を持つプレート（定規）を表現するスケール表示１３を、グラフ表示エリア１４内のグラフ（１０）上に重ね合わせて透過スケール表示する。
【００７５】
このときに、重なったグラフの情報を喪失することが無いよう、スケールに任意の透過度を持たせ、下に重ねられたグラフ情報を認識可能とすることにより、グラフの持つ情報を表示装置内で最大限に表現できるとともに、スケールを同時に表示することにより視認性の向上等を図ることが可能となる。
【００７６】
（第１１の実施の形態）
本発明の第１１の実施の形態に係るデータ表示装置の基本構成は、図１に示したものと同一である。本データ表示装置は移動スケール表示を行なうものである。図１において、入力部１にて周期的に入力されたプロセスデータは、計算機２にて一時的にデータを保存する一時保管領域３に格納される。このデータは、記録部４の図２に示す履歴表示用時系列のデータテーブルに記録されるとともに、リアルタイム表示用にデータ表示部５へ渡される。
【００７７】
図２９は、データ表示部５における移動スケール表示を示す図である。データ表示部５では、図２の履歴表示用時系列データテーブルに保存されたポイントの中からグラフ表示されるグラフ等に対して、そのポイントに関するグラフ上の上下限値、及びその上下限値に応じて均等に分割された目盛り等を持つプレート（定規）を表現するスケール表示１３を、グラフ表示エリア１４内のグラフ（１０）上にグラフ表示を透過するよう重ね合わせ、またはグラフ表示色とスケールのベースとなる色との加算、減算、差の絶対値及び乗算等により重ね合わせ、移動スケールとして表示する。重ね合わせられるスケールは、グラフ表示内で時間軸を基準として任意に移動可能とする。
【００７８】
このときに、重なったグラフの情報を喪失することが無いよう、スケールに任意の透過度を持たせ、下に重ねられたグラフ情報を認識可能とすることにより、グラフの持つ情報を表示装置内で最大限に表現できるとともに、スケールを同時に表示することにより視認性の向上等を図ることが可能となる。
【００７９】
（第１２の実施の形態）
本発明の第１２の実施の形態に係るデータ表示装置の基本構成は、図１に示したものと同一である。本データ表示装置は３Ｄ表示（立体表示）を行なうものであり、図１において、入力部１にて周期的に入力されたプロセスデータは、計算機２にて一時的にデータを保存する一時保管領域３に格納される。このデータは、計算機２の記録部４にて図２に示した履歴表示用時系列データテーブルに記録されるとともに、リアルタイム表示用にデータ表示部５へ渡される。
【００８０】
図３０は、データ表示部５における表示例を示す図であり、図３１は三次元空間座標指定図である。データ表示部５では、図３０に示すように、on-line選択時には計算機２からリアルタイム表示用のデータを受け取り、off-line選択時には図２に示した履歴表示用時系列データテーブルから、時間要素及びプロセス値要素を有する表示用プロセスデータを受け取る。
【００８１】
そしてデータ表示部５では、図３１に示すように、対話画面等による対話入力部６により操作者が奥行き（Ｚ軸）の角度を指定することにより、任意の三次元座標空間上でプロセスデータを表現するための表示座標変換等を行なう。さらに、最前列に最新のプロット表示を行ない、フルスパンを越えたプロットデータを順次奥行き（Ｚ軸）方向へスクロールすることによりリアルタイムで表示することを可能にし、もしくは指定されたプロセスデータ（時間指定等も含む）を三次元表現にて表示することを可能にする。
【００８２】
（第１３の実施の形態）
本発明の第１３の実施の形態に係るデータ表示装置の基本構成は、図１に示したものと同一である。本データ表示装置は３Ｄ数値読取りを行なうものであり、図１において、入力部１にて周期的に入力されたプロセスデータは、計算機２にて一時的にデータを保存する一時保管領域３に格納される。このデータは、計算機２の記録部４にて図２に示した履歴表示用時系列データテーブルに記録されるとともに、リアルタイム表示用にデータ表示部５へ渡される。
【００８３】
図３２の（ａ），（ｂ）は、データ表示部５における表示例を示す図である。データ表示部５では、上記第１の実施の形態に示したように三次元表現されたプロセス値グラフ等が表示されている。これを受け、操作者が対話画面等による対話入力部６により数値情報を指定しその読み取りを要求することにより、図３２の（ａ）に示すように、Ｙ軸を基準とした情報読み取り面が表示される。
【００８４】
次に図３２の（ｂ）に示すように、操作者が奥行き（Ｚ軸）に設置されたスライダーにより情報読み取り面における表示画面上の読み取り範囲を指定し、Ｙ軸スライダーにより情報読み取りレベルを指定することを可能とすることにより、三次元空間上に表現されたプロセス値グラフ上の任意の面の選択を可能とする。
【００８５】
そして、操作者が情報読み取り面上にマーキングされたポイントをポインティングデバイス等により選択することにより、情報読み取り面とプロセス値グラフが交差する箇所の情報を読み取ることができる。または、操作者がリスト形式にされた情報選択リストから特定の箇所のポイントを選択し、そのポイント情報に係る図２に示す履歴表示用時系列データテーブルに記録されているpoint Informationの情報、及びValueを吹き出し等にて表示することにより、情報読み取り面とグラフが交差するポイント情報を、任意の範囲、レベルにおいて読み取ることができる。
【００８６】
なお、本発明は上記各実施の形態のみに限定されず、要旨を変更しない範囲で適宜変形して実施できる。
【００８７】
（実施の形態のまとめ）
実施の形態に示された構成及び作用効果をまとめると次の通りである。
【００８８】
［１］第１の実施の形態に示されたデータ表示装置は、各種プラント構成機器におけるプロセス値を記録するシステムに用いられ、プラントからの長期傾向、状態等の監視を必要とするプロセス値を入力する入力部１と、そのプロセス値の記録／復元等のプロセス値を処理する計算機２と、プロセス値を表示するデータ表示部５と、対話等で入力する対話入力部６とを有し、数値及び曲線等を、任意の系統図画面や任意のポイント毎に、複数のグラフに同一表示することを可能とし、任意のポイントまたは任意ポイント以外の表示の透過度を変更することを可能とする。従来は、プロットする曲線に対し番号等を付加することにより認識の向上等を図ることを目的としていたが、本装置では、より注目すべき監視曲線を強調し、表現することが可能となる。
【００８９】
このように上記データ表示装置によれば、入力部１にて入力され計算機２で処理された複数プロセス値は、データ表示部５に複数トレンドグラフなどとして透過表示される。表示されるグラフは、複数のプラント監視曲線を同一グラフ上に表示することにより、類似ポイントとの状態比較、及び他ポイントとの関係等を容易に判断できることを可能とする。また、任意の注目すべき監視曲線以外の監視曲線に対して任意の透過度に変更することを可能とすることにより、プラント監視における記録データ表示として、重点的に注目すべき監視曲線を強調し表現することが可能となる。これにより、よりユーザーの要求に合わせた表現が行なえることから、視認性の向上、監視品質向上、ひいてはユーザーの負荷軽減にもつながる。
【００９０】
［２］第２の実施の形態に示されたデータ表示装置は、上記［１］のデータ表示装置において，表示される数値及び曲線等を、任意の系統図画面や任意のポイント毎に、比較対象とする現在もしくは過去のデータと同一のグラフ等に表示可能とし、任意のポイントまたは任意ポイント以外の表示の透過度を変更することを可能とする。従来は、プロットする曲線に対し番号等を付加することにより認識の向上等を図ることを目的としていたが、本装置では、より注目すべき監視曲線を強調し表現することが可能となり、過去の履歴との相関関係をより明確に表現することが可能となる。
【００９１】
このように上記データ表示装置によれば、入力部１にて入力され計算機２で処理された複数のプロセス値は、データ表示部５に複数のトレンドグラフなどとして透過表示される。表示されるグラフは、リアルタイムで、もしくは過去に指定された記録データと比較対象の複数のプラント監視曲線とを同一グラフ上に表示することにより、類似システムまたは類似プラント状況下における他の記録データとの状態比較、及び他ポイントとの関係等を容易に判断できることを可能とする。
【００９２】
また、任意の注目すべき監視曲線以外の監視曲線に対して、透過度を任意に変更することを可能とすることにより、より注目すべき監視曲線を強調して表現することが可能となる。これにより、よりユーザーの要求に合わせた表現が行なえることから、視認性の向上、監視品質の向上、ひいてはユーザーの負荷軽減にもつながる。
【００９３】
［３］第３の実施の形態に示されたデータ表示装置は、各種プラント構成機器におけるプロセス値を記録するシステムに用いられ、一括で監視する必要のある複数個の同一種類のプロセス値を入力する入力部１と、プロセス値を保存し、履歴管理をするとともにリアルタイムに処理する計算機２と、プロセス値を表示するデータ表示部５と、対話操作で入力する対話入力部６とを有し、複数個の同一プロセス値を値に応じた色等の判別方法を伴った二次元マップ状に表示し、表示されているプロセス値、色等のリアルタイム変更を可能とする。従来は、トレンド曲線の色替え等でグループの中から外れたポイントを確認することを目的としていたが、本装置では、複数個の同一種類のプロセス値の現状と特異的な状態にあるプロセス値の判断を容易に行なうことが可能となる。
【００９４】
このように上記データ表示装置によれば、入力部１にて入力され計算機２で処理された複数個の同一種類プロセス値は、データ表示部５に二次元マップ状に表示される。この二次元マップは、最新データをデジタル値で格子内部に表示するとともに、プロセス値の大きさに応じた色で表現する。また、プロセス値が異常値となった場合は、警報色でマップを表現する。
【００９５】
これにより、プロセス値の状態の視認性向上、監視品質の向上、ひいてはユーザーの負荷軽減にもつながる。また、通常のトレンド表示を併せて表示することにより、プロセス値の平均値からのずれの評価と、現状のプロセス値の容易な確認が可能となる。
【００９６】
［４］第４の実施の形態に示されたデータ表示装置は、上記［３］のデータ表示装置において、複数個の同一プロセス値を値に応じた色等の判別方法を伴った二次元マップ状に表示するとともに、プロセス値の過去の状態を現在値とは異なった状態で表示することにより、現状プロセス値のマップによる確認だけでなく、プロセス値の過去の状態についても判断することが可能となる。
【００９７】
このように上記データ表示装置によれば、入力部１にて入力され計算機２で処理された複数個の同一種類のプロセス値は、データ表示部５に二次元マップ状に表示される。この二次元マップは、最新データをデジタル値で表示し、最新プロセス値に対応した色で表現するとともに、過去のプロセス値が異常値で最新プロセス値が正常値の場合は、最新プロセス値の識別色と異なった警報色で表現することにより、過去のプロセス値の状態を表現することを可能とする。
【００９８】
これにより、プロセス値の現在状態だけでなく、過去のプロセス値状態を判別可能となり、視認性の向上、監視品質向上、ひいてはユーザーの負荷軽減につながる。
【００９９】
［５］第５の実施の形態に示されたデータ表示装置は、各種プラント構成機器におけるプロセス値を記録するシステムに用いられ、プラントからの長期傾向、状態等の監視を必要とするプロセス値を入力する入力部１と、そのプロセス値を保存する条件を判定し、条件を満たした場合にプロセス値の記録／復元等を処理する計算機２と、プロセス値を表示するデータ表示部５と、プロセス値の保存条件などを対話等で入力する対話入力部６とを有し、プロセスデータを記録する条件（任意のプラント機器の動作など）を設定することにより、必要とするプロセス値のみを記録、表示することが可能となり、プロセスデータの監視を容易に行なうことができる。
【０１００】
このように上記データ表示装置によれば、対話入力部６から、プロセス値を保存する条件と、その条件を満足した場合に保存するプロセス値の項目を予め入力する。入力部１にて入力されたプロセス値は、対話入力部６から入力された条件を満足した場合に計算機２で処理され、データ表示部５にトレンドグラフなどとして表示される。このグラフは、条件を満足した部分だけが表示され、不要なデータは表示されることがなく、データの確認を容易に行なえるため、視認性の向上、監視品質向上、ひいてはユーザーの負荷軽減につながる。
【０１０１】
［６］第６の実施の形態に示されたデータ表示装置は、上記［５］のデータ表示装置において、記録されていたデータの中からプラント機器の動作時やイベント発生時のプロセスデータを表示させるための検索条件を設定することにより、プラントイベントなど任意のポイントの検索・表示が可能となり、プロセスデータの監視を容易にする。
【０１０２】
このように上記データ表示装置によれば、入力部１では、プラントからのプロセス値とプラントイベント（プラントトリップなど）の情報を入力し、入力データの処理を計算機２で行ない、データ表示部５にトレンドグラフなどとして表示される。このグラフは、最新情報から表示され、過去のデータはスクロールなどで表示されるが、データ表示部５に表示させたいデータの検索情報（プラントイベントなど）を入力することにより、必要とするデータをスクロールなどで検索することが不要となり、視認性の向上、監視品質向上、ひいてはユーザーの負荷軽減につながる。
【０１０３】
［７］第７の実施の形態に示されたデータ表示装置は、各種プラント構成機器におけるプロセス値を記録するシステムに用いられ、プラントからの長期傾向、状態等の監視を必要とするプロセス値を入力する入力部１と、そのプロセス値の記録／復元等を処理する計算機２と、プロセス値を表示するとともに、対話等で入力する表示対話部を有し，表示される数値及び曲線等を、任意の系統図画面や任意のポイント毎に複数のポイントを統合し、上下限、平均及び偏差等を直感的に表現できるよう表示することを可能とするデータ表示部５とを有し、従来では各ポイント毎に複数の情報を表示するしかなかったものを、本装置では複雑化する表示を統合することにより、直感的に複数のポイント情報を監視し表現することが可能となる。
【０１０４】
このように上記データ表示装置によれば、入力部１にて入力され計算機２で処理された複数のプロセス値は、表示装置に統合されたトレンドグラフなどとして統合表示される。表示されるグラフでは、複数のプラント監視曲線を時系列単位に最大値と最小値を求め束ねて表現し、一つの帯のような曲線でグラフ上に表示することにより、複雑に絡み合った複数の類似ポイント情報を長短期的に簡潔にかつ直感的に判断できることを可能とする。これらにより、よりユーザーの要求に合わせた表現ができることから、視認性の向上、監視品質向上、ひいてはユーザーの負荷軽減にもつながる。
【０１０５】
［８］第８の実施の形態に示されたデータ表示装置は、上記［７］のデータ表示装置において、複数の情報が統合された表示について、個々の情報へ展開及び展開された情報を基の統合された情報へ復元することを可能とし、従来では複雑に絡み合った情報でも個々に表示するしかなかったものを、本装置では必要なときに簡潔にまとめられた統合表示をし、または詳細情報を必要とするときは展開表示をし、ユーザーニーズに柔軟に対応し表現することを可能とする。
【０１０６】
このように上記データ表示装置によれば、入力部１にて入力され計算機２で処理された複数のプロセス値は、表示装置に統合されたトレンドグラフなどとして統合表示される。そして、上記［７］にて表示される統合表示に対して、複数の情報を束ねた帯状の曲線を、構成されるポイント情報毎に分解し展開表示することを可能とする。又、展開されたポイント情報は、任意に展開前の帯状の曲線へ戻すことも可能とすることができる。これらのことより、監視、調査といった、よりユーザーの要求に合わせた表現が可能であることから、視認性の向上、監視品質向上、ひいてはユーザーの負荷軽減にもつながる。
【０１０７】
［９］第９の実施の形態に示されたデータ表示装置は、上記［７］のデータ表示装置において、複数の情報が統合された表示に対して、任意の時系列での瞬時値を統計情報として読み取ることを可能とする。従来では、個々のポイントの瞬時値のみを読み取ることができず、また複数のポイントが複雑に絡み合った場合ににも目的とする情報を得るのが困難であったが、本装置ではこれら複数の情報を統計表示することにより、より容易に目的とする情報を簡潔に得ることを可能とする。
【０１０８】
このように上記データ表示装置によれば、入力部１にて入力され計算機２で処理された複数のプロセス値は、表示装置に統合されたトレンドグラフなどとして統合表示される。そして、上記［７］にて表示される統合表示に対して、時系列軸に対してＹ方向の読み取り位置を示すバーが交差する統合表示された帯状の曲線の最大値、最小値等の統計情報、及び統合された情報を構成する個々の瞬時値をも読み取り表示することを可能とする。これらにより、監視、調査といった、よりユーザーの要求に合わせた表現が可能であることから、視認性の向上、監視品質向上、ひいてはユーザーの負荷軽減にもつながる。
【０１０９】
［１０］第１０の実施の形態に示されたデータ表示装置は、上記［７］のデータ表示装置において、各種プラント構成機器におけるプロセス値を記録するシステムにて、プラントからの長期傾向、状態等の監視を必要とするプロセス値を入力する入力部１と、そのプロセス値の記録／復元等を処理する計算機２と、プロセス値を表示するとともに、対話等で入力する表示対話部を有し、表示される数値及び曲線等を任意の系統図画面や任意のポイント毎に、表示された情報グラフ上に透過されたスケールを重ねて表示することを可能とする。従来では、情報グラフの枠外へのスケール表示はしかなかったが、本装置では本来必要とする情報表示の情報領域を損なうことなく有効にスケール表示することが可能となる。
【０１１０】
このように上記データ表示装置によれば、入力部１にて入力され計算機２で処理された複数のプロセス値は、表示装置にトレンドグラフなどとして表示され、同一グラフ上に透過されたスケールが情報曲線に重ねて表示される。表示されるグラフ上にグラフに対する上下限値及び任意の中間値を示すスケールバーを任意に透過された状態で重ねて表示することにより、スケールを透してグラフ情報を損なうことなく表現することを可能とする。これにより、よりユーザーの要求に合わせた表現ができることから、視認性の向上、監視品質向上、ひいてはユーザーの負荷軽減にもつながる。
【０１１１】
［１１］第１１の実施の形態に示されたデータ表示装置は、上記［１０］のデータ表示装置において、情報グラフ領域内を任意に時系列移動可能なスケール表示を可能とし、従来では情報グラフの枠外への固定スケール表示はしかなかったが、本装置では本来必要とする情報表示の情報領域を損なうことなく任意の時系列移動を可能とすることにより、必要な情報を直感的かつ、有効にスケール表示することが可能となる。
【０１１２】
このように上記データ表示装置によれば、入力部１にて入力され計算機２で処理された複数のプロセス値は、表示装置にトレンドグラフなどとして表示され、同一グラフ上にスケールが情報曲線に重ねて移動表示される。そして、表示されるグラフ上にグラフに対する上下限値及び任意の中間値を示すスケールバーを、グラフ表示上の時間軸上で任意に移動可能とすることができる。これらにより、よりユーザーの要求に合わせた表現ができることから、視認性の向上、監視品質向上、ひいてはユーザーの負荷軽減にもつながる。
【０１１３】
［１２］第１２の実施の形態に示されたデータ表示装置は、各種プラント構成機器におけるプロセス値を記録するシステムに用いられ，プラントからの長期傾向等の監視を必要とするプロセス値を入力する入力部１と、そのプロセス値の記録／復元等の処理を行なう計算機２と、プロセス値を表示するデータ表示部５と、対話等で入力がなされる対話入力部６とを有し、数値及び曲線等を、任意の系統図画面や任意のポイント毎に、任意の三次元空間上で表現可能としている。従来は、１６色等の色替えプロットでグループの中から外れたポイントが分かることを目的とした表示が行なわれていたが、本装置では、それに加え各ポイントの傾向も表現できるようになる。
【０１１４】
このように上記データ表示装置によれば、入力部１にて入力され計算機２で処理されたプロセス値は、データ表示部５にトレンドグラフなどとして三次元空間で表示される。表示されるグラフは、三次元空間上にて最前列を最新情報として、奥行きに沿って過去の情報を表示していくことにより、長期傾向等の長いスパンデータに対しても数値の精度を落すことなく、かつ具体的に表現することを可能とする。また、三次元空間上の座標軸、及び時間、プロセス値のレンジスパン等を任意に変更することを可能とすることにより、よりユーザーの要求に合わせた表現ができることから、視認性の向上、監視品質向上、ひいてはユーザーの負荷軽減にもつながる。
【０１１５】
［１３］第１３の実施の形態に示されたデータ表示装置は、上記［１２］のデータ表示装置において、面による数値読み取りを可能としている。従来は、二次元表現されるグラフ等を、点または線にて目的とされるポイント情報として提供することを目的とした表示がなされたが、本装置ではそれに加え、三次元空間上のグラフ等に対して容易に各ポイントの数値読み取りを行なうことが可能になる。
【０１１６】
このように上記データ表示装置によれば、入力部１にて入力され計算機２で処理されたプロセス値は、データ表示部５にトレンドグラフなどとして三次元空間で表示される。上記［１２］にて表現される三次元表示グラフ等に対して、Ｙ軸を基準にグラフ上に数値読み取り面を表示し、この面とグラフとの交差するポイント情報を任意のポイントで表示し、任意の情報等をユーザーの要求に応じて表示する。これにより、ユーザーの要求に合わせた情報提供を容易にできることから、視認性の向上、監視品質向上、ひいてはユーザーの負荷軽減にもつながる。
【図面の簡単な説明】
【０１１７】
【図１】本発明の実施の形態に係るデータ表示装置の基本構成を示すブロック図。
【図２】本発明の実施の形態に係る履歴表示用時系列データテーブルを示す図。
【図３】本発明の実施の形態に係る透過度指定対話画面を示す図。
【図４】本発明の実施の形態に係る透過度に対応する各監視曲線の表示の変遷を示す図であり、データ表示部のディスプレイ上に表示した中間調画像を写真印刷して示す図。
【図５】本発明の実施の形態に係る透過度に対応する各監視曲線の表示の変遷を示す図であり、データ表示部のディスプレイ上に表示した中間調画像を写真印刷して示す図。
【図６】本発明の実施の形態に係る透過度に対応する各監視曲線の表示の変遷を示す図であり、データ表示部のディスプレイ上に表示した中間調画像を写真印刷して示す図。
【図７】本発明の実施の形態に係る透過度に対応する各監視曲線の表示の変遷を示す図であり、データ表示部のディスプレイ上に表示した中間調画像を写真印刷して示す図。
【図８】本発明の実施の形態に係る透過度に対応する各監視曲線の表示の変遷を示す図であり、データ表示部のディスプレイ上に表示した中間調画像を写真印刷して示す図。
【図９】本発明の実施の形態に係るデータ表示装置の基本構成を示すブロック図。
【図１０】本発明の実施の形態に係る透過度指定対話画面を示す図。
【図１１】本発明の実施の形態に係るプロセス値制限値指定テーブルを示す図。
【図１２】本発明の実施の形態に係るプロセス値識別色指定テーブルを示す図。
【図１３】本発明の実施の形態に係るマップ情報指定テーブルを示す図。
【図１４】本発明の実施の形態に係る表示例を示す図。
【図１５】本発明の実施の形態に係るプロセス値状態テーブルを示す図。
【図１６】本発明の実施の形態に係るデータ表示部における表示例を示す図。
【図１７】本発明の実施の形態に係る対話画面を示す図。
【図１８】本発明の実施の形態に係るデータ表示を示す図。
【図１９】本発明の実施の形態に係る記録部内に格納されている条件テーブルを示す図。
【図２０】本発明の実施の形態に係る履歴表示用データテーブルを示す図。
【図２１】本発明の実施の形態に係る履歴表示用データテーブルを示す図。
【図２２】本発明の実施の形態に係る対話画面を示す図。
【図２３】本発明の実施の形態に係る検索条件テーブルを示す図。
【図２４】本発明の実施の形態に係るデータ表示を示す図。
【図２５】本発明の実施の形態に係る記録部内に格納されている統合表示グループテーブルを示す図。
【図２６】本発明の実施の形態に係るデータ表示部における統合表示を示す図。
【図２７】本発明の実施の形態に係るデータ表示部における統合数値読み取り表示を示す図。
【図２８】本発明の実施の形態に係るデータ表示部における透過スケール表示を示す図。
【図２９】本発明の実施の形態に係るデータ表示部における移動スケール表示を示す図。
【図３０】本発明の実施の形態に係るデータ表示部における表示例を示す図。
【図３１】本発明の実施の形態に係る三次元空間座標指定図。
【図３２】本発明の実施の形態に係るデータ表示部における表示例を示す図。
【符号の説明】
【０１１８】
１…入力部
２…計算機
３…一時保管領域
４…記録部
５…データ表示部
６…対話入力部
７…記録データ
１０…統合情報表示
１１…基準線（数値読み取りバー）
１２…統合数値読み取り
１３…スケール表示
１４…グラフ表示エリア
【図１】
2007164800.tif 000003
【図２】
2007164800.tif 000004
【図３】
2007164800.tif 000005
【図４】
2007164800.tif 000006
【図５】
2007164800.tif 000007
【図６】
2007164800.tif 000008
【図７】
2007164800.tif 000009
【図８】
2007164800.tif 000010
【図９】
2007164800.tif 000011
【図１０】
2007164800.tif 000012
【図１１】
2007164800.tif 000013
【図１２】
2007164800.tif 000014
【図１３】
2007164800.tif 000015
【図１４】
2007164800.tif 000016
【図１５】
2007164800.tif 000017
【図１６】
2007164800.tif 000018
【図１７】
2007164800.tif 000019
【図１８】
2007164800.tif 000020
【図１９】
2007164800.tif 000021
【図２０】
2007164800.tif 000022
【図２１】
2007164800.tif 000023
【図２２】
2007164800.tif 000024
【図２３】
2007164800.tif 000025
【図２４】
2007164800.tif 000026
【図２５】
2007164800.tif 000027
【図２６】
2007164800.tif 000028
【図２７】
2007164800.tif 000029
【図２８】
2007164800.tif 000030
【図２９】
2007164800.tif 000031
【図３０】
2007164800.tif 000032
【図３１】
2007164800.tif 000033
【図３２】
2007164800.tif 000034